(57)【特許請求の範囲】
【請求項１】
天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設け、前記ヘッド方向ガイド手段は、前記ヘッド部の前記曲面部の円弧端部から延びた突起部で、前記ヘッド部の前記突起部は、球形状で形成された天井扇風機。
【請求項２】
天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設け、前記ヘッド方向ガイド手段は、前記ヘッド部の前記曲面部の円弧中央部に設けた切欠部と、前記パイプ部の前記パイプ孔部の一方側から水平方向に延びたガイド部とから形成し、前記ボルト部を、前記パイプ孔部の一方側から前記パイプ孔部と前記連結孔部とに挿入し、前記パイプ部の外周部と、前記ヘッド部の前記曲面部とが接して固定される方向に前記ガイド部は、前記ヘッド部の前記曲面部が向くと、前記切欠部を通過する構成とした天井扇風機。
【請求項３】
前記ボルト部を、前記パイプ孔部の他方側から前記パイプ孔部と前記連結孔部に挿入し、前記パイプ部の外周部と、前記ヘッド部の前記曲面部とが接し、前記ボルト部の前記ねじ部に前記ナット部を装着する場合に、前記ガイド部と前記ナット部とが当たり、前記ナット部を装着できない構成とした請求項２に記載の天井扇風機。
【請求項４】
前記ヘッド部の前記切欠部を２箇所備えた請求項２または３に記載の天井扇風機。
【請求項５】
前記ボルト部を、前記パイプ孔部の他方側から前記パイプ孔部と前記連結孔部に挿入し、前記パイプ部の外周部と、前記ヘッド部の前記曲面部とが接した場合に、前記ボルト部の前記ねじ部の先端が前記ガイド部の先端より突出しない構成とした請求項２から４のいずれかに記載の天井扇風機。
【請求項６】
前記本体は、モーター部と、このモーター部によって回転する羽根部と、前記モーター部の下部を覆う本体ケース部とから形成し、前記ガイド部には、天井から延びた電源配線部と前記モーター部から延びたモーター配線部とを電気的に接続する接続部を設け、この接続部は、前記ガイド部から前記パイプ部の前記パイプ孔部と前記連結部の前記連結孔部との連通方向に対して垂直方向に延びて形成した請求項４に記載の天井扇風機。
【請求項７】
前記接続部は、前記ナット部より前記ボルト部の前記ヘッド部側に位置する構成とした請求項６に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に固定される吊下手段と、この吊下手段に吊下げられるパイプ部と、このパイプ部に締結される本体部と、このパイプ部と本体部とを連結ボルト及びナットによって締結する構成となっていた。
【０００４】
また、この種の天井扇風機には連結ボルトの頭部の下面形状を、パイプの外面に沿わせて、断面が円弧形状の曲面としたものもある。
【０００５】
例えば、これに類似する先行文献は下記特許文献１に記載されている。
【先行技術文献】
【特許文献】
【０００６】
【特許文献１】特開２００８−１２１５５１号公報
【発明の概要】
【発明が解決しようとする課題】
【０００７】
このような従来の締結手段においては、頭部の下面が円弧形状の曲面である連結ボルトをパイプの外面に沿わせる構成となっていたので、取付けにおいて、連結ボルト側を固定することなく、ナットのみを回転させることで締結が可能となり施工性を向上させることができる一方で、連結ボルトの挿入角度を誤ることにより、円弧形状の曲面がパイプの外面に沿わない状態で固定され、運転中にパイプ部と本体部との連結が緩み、不安全となるという課題を有していた。
【０００８】
そこで本発明は、上記従来の課題を解決するものであり、ナットのみを回転させるだけで施工が可能であるという利点はそのままに、誤った取付けを防止しすることが出来る天井扇風機を提供することを目的とする。
【課題を解決するための手段】
【０００９】
そして、この目的を達成するために、本発明は、天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設け、前記ヘッド方向ガイド手段は、前記ヘッド部の前記曲面部の円弧端部から延びた突起部で、前記ヘッド部の前記突起部は、球形状で形成されたものである。これにより初期の目的を達成するものである。
【発明の効果】
【００１０】
本発明によれば、天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設け、前記ヘッド方向ガイド手段は、前記ヘッド部の前記曲面部の円弧端部から延びた突起部で、前記ヘッド部の前記突起部は、球形状で形成されたという構成にすることにより、連結孔部とパイプ孔部とが連通した状態でボルト部を挿入し、ナット部のみを回転させるだけでボルト部のヘッド部がヘッド方向ガイド手段によって、ヘッド部の曲面部が、パイプ部の外周部に接して取り付けられるので、誤った取付けを防止でき、ヘッド方向ガイド手段は、ヘッド部の曲面部の円弧端部から延びた突起部で、ヘッド部の突起部は、球形状で形成されるので、ボルト部の挿入角度を誤った際にも、締結時の締付けトルクにより、正規の挿入角度に修正されるので、誤った取付けを防止できるという効果を得ることができるものである。
【００１１】
結果として、誤った取付けを防止しすることが出来る天井扇風機を提供するこができる。
【図面の簡単な説明】
【００１２】
【図１】本発明の実施の形態１の天井扇風機概要を示す全体図
【図２】同拡大斜視図
【図３】同ボルト形状を示すボルト全体図
【図４】本発明の実施の形態２のボルト挿入方法を示す斜視図
【図５】同ボルト誤挿入時のナット部分を示す側面図
【図６】同ボルト誤挿入時の締結部分を示す斜視図
【図７】同ボルト誤挿入時の締結部分を示す俯瞰図
【図８】同締結部分を示す斜視図
【図９】同締結部分を示す俯瞰図
【発明を実施するための形態】
【００１５】
本発明の請求項１記載の天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設け、前記ヘッド方向ガイド手段は、前記ヘッド部の前記曲面部の円弧端部から延びた突起部で、前記ヘッド部の前記突起部は、球形状で形成されたという構成を有する。これにより、ナット部のみを回転させるだけで施工が可能であるとともに、ボルト部のヘッド部がヘッド方向ガイド手段によって、誤ることなく挿入可能となるので、誤った取付けを防止でき、また、ヘッド方向ガイド手段は、ヘッド部の曲面部の円弧端部から延びた突起部で、ヘッド部の突起部は、球形状で形成されるので、ボルト部の挿入角度を誤った際にも、締結時の締付けトルクにより、正規の挿入角度に修正されるので、誤った取付けを防止できるという効果を奏する。
【００１６】
また、天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設け、前記ヘッド方向ガイド手段は、前記ヘッド部の前記曲面部の円弧中央部に設けた切欠部と、前記パイプ部の前記パイプ孔部の一方側から水平方向に延びたガイド部とから形成し、前記ボルト部を、前記パイプ孔部の一方側から前記パイプ孔部と前記連結孔部とに挿入し、前記パイプ部の外周部と、前記ヘッド部の前記曲面部とが接して固定される方向に前記ガイド部は、前記ヘッド部の前記曲面部が向くと、前記切欠部を通過する構成としてもよい。これにより、ボルト部をガイド部を沿わせる挿入形態とすることができ、挿入が容易となり、施工性を向上させることができるという効果を奏する。
【００１７】
また、ヘッド部の切欠部を２箇所備えるという構成としてもよい。これにより、ボルト部は上下方向に対象な形状となり、上下方向の区別が無くなるため、挿入時の自由度が増すことで、施工性が向上するという効果を奏する。
【００１８】
また、ボルト部を、パイプ孔部の他方側からパイプ孔部と連結孔部に挿入し、パイプ部の外周部と、ヘッド部の曲面部とが接し、ボルト部のねじ部にナット部を装着する場合に、ガイド部とナット部とが当たり、ナット部を装着できない構成としてもよい。これにより、ガイド部を設けた側と反対側の連結孔部からボルト部を挿入した際に、ナット部を締付けることができなくなるため、誤った取付けを未然に防止できるという効果を奏する。
【００２０】
また、ボルト部を、パイプ孔部の他方側からパイプ孔部と連結孔部に挿入し、パイプ部の外周部と、ヘッド部の曲面部とが接した場合に、ボルト部のねじ部の先端がガイド部の先端より突出しない構成としてもよい。これにより、ガイド部を設けた側と反対側の連結孔部からボルト部を挿入した際に、ナット部を締付けることができなくなるため、誤った取付けを未然に防止できるという効果を奏する。
【００２１】
また、本体は、モーター部と、このモーター部によって回転する羽根部と、モーター部の下部を覆う本体ケース部とから形成し、ガイド部には、天井から延びた電源配線部とモーター部から延びたモーター配線部とを電気的に接続する接続部を設け、この接続部は、ガイド部からパイプ部のパイプ孔部と連結部の連結孔部との連通方向に対して垂直方向に延びて形成するという構成にしてもよい。これにより、接続部そのものが、ガイド部と同様の機能を有することとなるため、誤った取付けを未然に防止できるという効果を奏する。
【００２２】
また、接続部は、ナット部よりボルト部のヘッド部側に位置する構成としてもよい。これにより、接続部はボルト部側に偏るので、ナット部側の空間が広くなり、施工性が向上するという効果を奏する。
【００２３】
以下、本発明の実施の形態について図面を参照しながら説明する。
【００２４】
（実施の形態１）
図１、および図２に示すように、本実施形態の天井扇風機は、天井に固定された吊り下げ部１と、この吊り下げ部１に吊下げられる円筒形状のパイプ部２と、このパイプ部に連結される本体３とから形成している。この本体３は、本体３の側周部には、水平方向へ延びた複数の羽根部２０を有し、本体３の上部には、上方に延びた円柱形状の連結部４を備え、この連結部４の上部には、水平方向に貫通した円形孔の連結孔部５を有している。また、パイプ部２の下部には、水平方向に貫通した円形孔のパイプ孔部６を有している。ここで、連結部４は、パイプ部２内に入ると共に、連結孔部５とパイプ孔部６とが連通する構成である。これら連結孔部５とパイプ孔部６が連通した状態でボルト部７を挿入し、ナット部８で締結し、連結部４とパイプ部２とを連結するものである。
【００２５】
図３に示すように、このボルト部７は、連結孔部５とパイプ孔部６とを貫通するねじ部９と、このねじ部９の端部に位置するヘッド部１０とから形成している。このヘッド部１０はパイプ部２の外周部１１に接する半円弧形状の曲面部１２を備えている。
【００２６】
本実施形態において特徴は、ボルト部７は、ナット部８によってパイプ部２の外周部１１と、ヘッド部１０の曲面部１２とが接して固定されると共に、ヘッド部１０の曲面部１２の方向を誘導するヘッド方向ガイド手段１３を設けことである。
【００２７】
すなわち、連結孔部５とパイプ孔部６とが連通した状態でボルト部７を挿入し、ナット部８のみを回転させるだけでボルト部７のヘッド部１０がヘッド方向ガイド手段１３によって、ヘッド部１０の曲面部１２が、パイプ部２の外周部に接して取り付けられるので、ナット部８のみを回転させるだけで施工が可能であるとともに、ボルト部７のヘッド部１０がヘッド方向ガイド手段１３によって、誤った取付けを防止できる効果を得ることができるものである。
【００２８】
具体的には、図３に示すように、ヘッド方向ガイド手段１３は、ヘッド部１０の曲面部１２の円弧端部１４から延びた突起部１５である。具体的には、ヘッド方向ガイド手段１３は、ヘッド部１０の曲面部１２の円弧端部１４の一方のみから、ヘッド部１０からねじ部９が延びている方向と同じ方向に延びた突起部１５である。
【００２９】
これにより、ボルト部７の挿入角度を誤った際にも、突起部１５のみが、パイプ部２の外周部に接するので、接触面積が小さく摩擦抵抗も小さくなり、ボルト部７と締結時の締付けトルクにより、ヘッド部１０が回転し、正規の挿入角度に修正されるので、誤った取付けを防止することができる。
【００３０】
また、図３に示すように、ヘッド部１０の突起部１５は、球形状で形成されたものである。これにより、ボルト部７の挿入角度を誤った際にも、球形状の突起部１５と、円筒形状のパイプ部２の外周部１１とが接する為、突起部１５とパイプ部２との接触は、ほぼ点接触となる。
【００３１】
すなわち、連結孔部５とパイプ孔部６が連通した状態でボルト部７を挿入し、ナット部８を回転させると、ヘッド部１０が正規の挿入角度で挿入されていない場合にも、ボルト部７と締結時の締付けトルクにより、ヘッド部１０が回転し、正規の挿入角度に修正されるまで、常に突起部１５とパイプ部２との接触は、ほぼ点接触となる。つまり、常に摩擦抵抗が小さくなり、ボルト部７と締結時の締付けトルクにより、ヘッド部１０がより容易に回転し、正規の挿入角度に修正されるので、誤った取付けを防止することができる。
【００３２】
（実施の形態２）
以下、本発明の実施の形態２における天井扇風機について図面を参照しながら説明する。なお、実施の形態１の構成と同様の構成を有するものについては、同一符号を付してその説明を省略する。
【００３３】
実施の形態１と相違する点は、図４に示すヘッド方向ガイド手段１３Ａである。ヘッド方向ガイド手段１３Ａは、ヘッド部１０の曲面部１２の円弧中央部に設けた切欠部１７と、パイプ部２のパイプ孔部６の一方側から水平方向に延びたガイド部１８とから形成し、ボルト部７を、パイプ孔部６の一方側からパイプ孔部６と連結孔部５とに挿入し、パイプ部２の外周部１１と、ヘッド部１０の曲面部１２とが接して固定される方向にヘッド部１０の曲面部１２が向くと、ガイド部１８が切欠部１７を通過するという構成である。
【００３４】
具体的には、ヘッド方向ガイド手段１３Ａは、ヘッド部１０の曲面部１２の円弧中央部に設けた略半円形状の切欠部１７と、パイプ部２のパイプ孔部６の一方側から水平方向、つまり、パイプ孔部６の円形孔の中心軸方向に延びた略円柱形状のガイド部１８とから形成している。ここで、ボルト部７を、パイプ孔部６の一方側からパイプ孔部６と連結孔部５とに挿入し、ボルト部７を回転させ、ボルト部７のヘッド部１０の切欠部１７とガイド部１８との位置を合わせると、ガイド部１８が、切欠部１７内に嵌るものである。この状態で、ナット部８によって締結していくと、パイプ部２の外周部１１と、ヘッド部１０の曲面部１２とが接する、つまり正規の取り付け状態で締結でき、連結部４とパイプ部２とを連結できるものである。
【００３５】
すなわち、ボルト部７のヘッド部１０の切欠部１７とガイド部１８との位置を合わせ、ガイド部１８を切欠部１７内に嵌ることにより、正規の挿入角度に修正されるので、誤った取付けを防止することができる。更に、ボルト部７のヘッド部１０の曲面部１２が、パイプ部２の外周部１１と接するまで、ボルト部７を移動させる時に、ボルト部７が回転するのを防止することができるので、ナット部８のみを回転することにより、容易に締結することができる。
【００３６】
また、ヘッド部１０の切欠部１７を２箇所備えたものである。具体的には、ヘッド部１０の曲面部１２の円弧中央部に設けた切欠部１７をヘッド部１０の中心に対して点対称な位置、つまり対向した位置に２箇所備えたものである。これにより、ボルト部７のヘッド部１０の切欠部１７とガイド部１８との位置を合わせた状態で、ボルト部７は上下方向に対象な形状となり、上下方向の区別が無くなるため、挿入時の自由度が増すことで、施工性が向上させることができる。
【００３７】
また、図５に示すように、ボルト部７を、パイプ孔部６の他方側からパイプ孔部６と連結孔部５に挿入し、パイプ部２の外周部１１と、ヘッド部１０の曲面部１２とが接し、ボルト部７のねじ部９にナット部８を装着する場合に、ガイド部１８とナット部８とが当たり、ナット部８を装着できない構成としたものである。
【００３８】
具体的には、連結孔部５の中心からガイド部１８までの距離は、ナット部８の中心からナット部８の外周までの最長距離より長いものである。これにより、ボルト部７を、パイプ孔部６の他方側からパイプ孔部６と連結孔部５に挿入し、パイプ部２の外周部１１と、ヘッド部１０の曲面部１２とが接し、ボルト部７のねじ部９にナット部８を装着する場合に、ガイド部１８とナット部８とが当たり、ナット部８を装着できないものである。これにより、ガイド部１８を設けた側と反対側の連結孔部５からボルト部７を挿入した際に、ナット部８を締付けることができなくなるため、誤った取付けを未然に防止することができる。
【００３９】
また、図６に示すように、ボルト部７を、パイプ孔部６の一方側からパイプ孔部６と連結孔部５とに挿入し、ガイド部１８が、切欠部１７を通過せず、ボルト部７のヘッド部１０が曲面部１２に当たる場合には、ボルト部７のねじ部９の先端がパイプ孔部６より突出しない構成としたものである。
【００４０】
具体的には、ボルト部７のねじ部９の長さは、ガイド部１８の先端から、他方側のパイプ孔部６までの距離より短いものである。これにより、ボルト部７の挿入角度を誤った際にも、ナット部８を締付けることができなくなるため、誤った取付けを未然に防止することができる。
【００４１】
また、図７に示すように、ボルト部７を、パイプ孔部６の他方側からパイプ孔部６と連結孔部５に挿入し、パイプ部２の外周部１１と、ヘッド部１０の曲面部１２とが接した場合に、ボルト部７のねじ部９の先端がガイド部１８の先端より突出しない構成としたものである。
【００４２】
具体的には、ボルト部７のねじ部９の長さは、他方側のパイプ孔部６からガイド部１８の先端までの距離より短いものである。これにより、ガイド部１８を設けた側と反対側の連結孔部５からボルト部７を挿入した際に、ナット部８を締付けることができなくなるため、誤った取付けを未然に防止することができる。
【００４３】
また、図１および図８に示すように、本体３は、モーター部１９と、このモーター部１９によって回転する羽根部２０と、モーター部１９の下部を覆う本体ケース部２１とから形成し、ガイド部１８には、天井から延びた電源配線部２２とモーター部１９から延びたモーター配線部２３とを電気的に接続する接続部２４を設け、この接続部２４は、ガイド部１８からパイプ部２のパイプ孔部６と連結部４の連結孔部５との連通方向に対して垂直方向に延びて形成したものである。これにより、ボルト部７とナット部８によるパイプ部２と連結部４との締結作業時に、接続部２４が障害物になることを防止できる。
【００４４】
また、接続部２４への、天井から延びた電源配線部２２とモーター部１９から延びたモーター配線部２３とを電気的に接続する方向は、パイプ部２のパイプ孔部６と連結部４の連結孔部５との連通方向と同じであるので、接続部２４への、電源配線部２２とモーター配線部２３との結線作業と、ボルト部７とナット部８によるパイプ部２と連結部４との締結作業とを容易に行うことができる。
【００４５】
また、図９に示すように、接続部２４は、ナット部８よりボルト部７のヘッド部１０側に位置する構成としたものである。これにより、接続部２４はボルト部７側に偏るので、ナット部８側の空間が広くなり、ナット部８を工具で回転させる場合に、接続部２４が工具の回転の邪魔になることを防止し、施工性を向上させることができる。
【産業上の利用可能性】
【００４６】
本発明によれば、天井に固定された吊り下げ部と、この吊り下げ部に吊下げられる円筒形状のパイプ部と、このパイプ部に連結される本体とを設け、この本体は、上部より上方に延びた円柱形状の連結部を備え、この連結部の上部には、水平方向に貫通した連結孔部を有し、前記パイプ部の下部には、水平方向に貫通したパイプ孔部を有し、前記連結部は、前記パイプ部内に入ると共に、前記連結孔部と前記パイプ孔部とが連通する構成とし、これら前記連結孔部と前記パイプ孔部に挿入可能なボルト部と、このボルト部に締結可能なナット部とを設け、前記ボルト部は、前記連結孔部と前記パイプ孔部とを貫通するねじ部と、このねじ部の端部に位置するヘッド部とから形成し、このヘッド部は前記パイプ部の外周部に接する曲面部を備えると共に、前記ナット部によって前記パイプ部の外周部と、前記ヘッド部の前記曲面部とが接して固定されるように前記ヘッド部の前記曲面部の方向を誘導するヘッド方向ガイド手段を設けるという構成にすることにより、連結孔部とパイプ孔部とが連通した状態でボルト部を挿入し、ナット部のみを回転させるだけでボルト部のヘッド部がヘッド方向ガイド手段によって、ヘッド部の曲面部が、パイプ部の外周部に接して取り付けられるので、誤った取付けを防止できる効果を得ることができるものである。
【００４７】
結果として、誤った取付けを防止しすることが出来る天井扇風機を提供するこができる。
【符号の説明】
【００４８】
１      吊り下げ部
２      パイプ部
３      本体
４      連結部
５      連結孔部
６      パイプ孔部
７      ボルト部
８      ナット部
９      ねじ部
１０    ヘッド部
１１    外周部
１２    曲面部
１３    ヘッド方向ガイド手段
１３Ａ  ヘッド方向ガイド手段
１４    円弧端部
１５    突起部
１７    切欠部
１８    ガイド部
１９    モーター部
２０    羽根部
２１    本体ケース部
２２    電源配線部
２３    モーター配線部
２４    接続部
【図１】
0005621419.tif 000002
【図２】
0005621419.tif 000003
【図３】
0005621419.tif 000004
【図４】
0005621419.tif 000005
【図５】
0005621419.tif 000006
【図６】
0005621419.tif 000007
【図７】
0005621419.tif 000008
【図８】
0005621419.tif 000009
【図９】
0005621419.tif 000010